(57)【要約】【課題】幹線部分と支線部分とが分割されかつその分割部分の保護が可能なワイヤハーネスを提供する。【解決手段】ワイヤハーネスは、幹線ハーネス１０と、支線ハーネス２０と、幹線ハーネス１０の途中部分に設けられる幹線コネクタ３０と、支線ハーネス２０の端部に設けられて幹線コネクタ３０と結合可能な支線コネクタ４０と、方向変換部材５０と、を備える。方向変換部材５０は、ハーネス支持部５４を有し、ハーネス支持部５４は、これを支点に支線ハーネス２０が曲げられてその方向が変換された状態で当該支線ハーネス２０を支持する。【選択図】  図１
2017038417.tif 000002
【特許請求の範囲】
【請求項１】
ワイヤハーネスであって、
複数の電線が束ねられた幹線ハーネスと、
複数の電線が束ねられた支線ハーネスであって前記幹線ハーネスの途中部分に接続されることにより当該幹線ハーネスから分岐可能なものと、
前記幹線ハーネスを構成する前記複数の電線に接続されかつ当該幹線ハーネスの外周面上に配置される幹線コネクタと、
前記支線ハーネスの端部に設けられて当該支線ハーネスを構成する前記複数の電線に接続され、前記幹線コネクタと結合することにより前記幹線ハーネスと前記支線ハーネスとを相互に電気的に接続する支線コネクタと、
前記幹線ハーネスに固定され、前記幹線コネクタと前記支線コネクタとが結合された状態で前記支線ハーネスの方向を変える方向変換部材と、を備え、
前記方向変換部材は、前記幹線ハーネスの外周面上で外向きに突出するハーネス支持部を含み、このハーネス支持部は前記支線ハーネスの途中部分が当該ハーネス支持部を支点として曲げられた状態で当該支線ハーネスを支持することにより当該支線ハーネスの長手方向を変更させる、ワイヤハーネス。
【請求項２】
請求項１記載のワイヤハーネスであって、前記幹線ハーネス上に配置される前記幹線コネクタと前記支線コネクタとの結合方向が当該幹線ハーネスの長手方向に沿う方向であり、前記ハーネス支持部を支点とする前記支線ハーネスの曲げによって当該支線ハーネスが前記幹線ハーネスから分岐する方向が当該幹線ハーネスの長手方向に対して交差する方向（例えば略直交する方向）に変換される、ワイヤハーネス。
【請求項３】
請求項１または２記載のワイヤハーネスであって、前記方向変換部材は、前記幹線ハーネスの外周面上に固定される被固定部を有し、前記ハーネス支持部は当該被固定部から外向きに突出する、ワイヤハーネス。
【請求項４】
請求項３記載のワイヤハーネスであって、前記方向変換部材は、さらに、前記支線コネクタに連結されることにより当該支線コネクタと前記被固定部との相対位置を固定するコネクタ連結部を含む、ワイヤハーネス。
【請求項５】
請求項１〜４のいずれかに記載のワイヤハーネスであって、前記方向変換部材は、前記ハーネス支持部を支点に曲げられる前記支線ハーネスを当該支線ハーネスよりも前記幹線ハーネスの径方向の外側の位置で拘束することにより当該支線ハーネスの曲げ角度の変動を規制する外側拘束部をさらに含む、ワイヤハーネス。
【請求項６】
請求項１〜５のいずれかに記載のワイヤハーネスであって、前記方向変換部材は、前記ハーネス支持部から離れた位置で前記幹線ハーネスの外周面から外向きに突出する曲げ拘束部を有し、この曲げ拘束部は当該曲げ拘束部と前記ハーネス支持部との間で前記支線ハーネスを拘束することにより当該支線ハーネスの曲げ角度の変動を規制する、ワイヤハーネス。
【発明の詳細な説明】
【技術分野】
【０００１】
本発明は、互いに分割された複数の部分を有してその分割された部分同士がコネクタを介して結合されるワイヤハーネスに関する。
【背景技術】
【０００２】
近年、ワイヤハーネスの大型化、複雑化に伴い、当該ワイヤハーネスを分割してその分割された部分同士をコネクタにより相互接続する技術が、検討されている。例えば特許文献１には、自動車に搭載されるワイヤハーネスを複数のサブハーネスに分割し、その分割されたサブハーネス同士をコネクタを介して接続する技術が、開示されている。
【先行技術文献】
【特許文献】
【０００３】
【特許文献１】特開２００２−２０４５２１号公報
【発明の概要】
【発明が解決しようとする課題】
【０００４】
本発明者らは、前記ワイヤハーネスの組立の合理化に適した分割箇所として、その幹線部と支線部との接続箇所である分岐部に着目した。この分岐部において当該幹線部と当該支線部とを分割することは、例えば、前記幹線部には共通のものを使用しながら、端末の機器に接続される支線部を当該機器の種類やグレードに応じて適宜変更することにより、様々な車種や仕様に対応した複数種のワイヤハーネスを低コストで合理的に構築することが可能になる。
【０００５】
しかしながら、前記幹線部から当該幹線部に前記支線部を接続するための幹線コネクタをぶらさげることは、当該幹線部の運搬等の際に当該幹線コネクタが他の部材に接触する可能性を高くするため、好ましくない。これを避けるために、当該幹線コネクタを当該幹線部の外周面上に固定すると、当該幹線コネクタと支線部側に設けられる支線コネクタとが結合する方向（コネクタ結合方向）が固定されるため、前記幹線部から前記支線部が分岐する方向を自由に設定することが難しくなる。例えば、前記結合方向が前記幹線部の長手方向に沿う方向であるのに対し、当該幹線部からこれと略直交する方向に支線部を分岐させようとすると、前記支線コネクタの近傍の支線部を構成する電線に無理な曲げ力が作用してしまう。さらに、この箇所には前記支線部に作用する引張荷重等に起因して大きな荷重が作用し易く、当該荷重によって前記無理な力が増強されるおそれがある。
【０００６】
このような理由により、当該幹線部と当該支線部との境界部分である分岐部にコネクタを設けることは困難とされているのが実状である。
【課題を解決するための手段】
【０００７】
本発明は、幹線部分と支線部分とが相互に分割されたワイヤハーネスであってその分割部分が有効に保護されることが可能なものを提供することを目的とする。
【０００８】
本発明により提供されるワイヤハーネスは、複数の電線が束ねられた幹線ハーネスと、複数の電線が束ねられた支線ハーネスであって前記幹線ハーネスの途中部分に接続されることにより当該幹線ハーネスから分岐可能なものと、前記幹線ハーネスを構成する前記複数の電線に接続されかつ当該幹線ハーネスの外周面上に配置される幹線コネクタと、前記支線ハーネスの端部に設けられて当該支線ハーネスを構成する前記複数の電線に接続され、前記幹線コネクタと結合することにより前記幹線ハーネスと前記支線ハーネスとを相互に電気的に接続する支線コネクタと、前記幹線ハーネスに固定され、前記幹線コネクタと前記支線コネクタとが結合された状態で前記支線ハーネスの方向を変える方向変換部材と、を備える。前記方向変換部材は、前記幹線ハーネスの外周面上で外向きに突出するハーネス支持部を含み、このハーネス支持部は前記支線ハーネスの途中部分が当該ハーネス支持部を支点として曲げられた状態で当該支線ハーネスを支持することにより当該支線ハーネスの長手方向を変更させる。
【０００９】
このワイヤハーネスによれば、前記幹線コネクタと前記支線コネクタとの結合に加え、前記幹線ハーネスに固定された方向変換部材のハーネス支持部を支点とした前記支線ハーネスの曲げにより、当該支線ハーネスの長手方向を好適な分岐方向に合せるように調節することが可能である。従って、前記幹線コネクタと他の部材との接触を抑止するために当該幹線コネクタ及びこれに結合される支線コネクタを前記幹線ハーネスの外周面上に位置させながらも、当該幹線ハーネスから前記支線ハーネスが延びる方向（分岐方向）を高い自由度で変更することが可能である。例えば、前記幹線ハーネス上に配置される前記幹線コネクタと前記支線コネクタとの結合方向が当該幹線ハーネスの長手方向に沿う方向であっても、前記ハーネス支持部を支点とする前記支線ハーネスの曲げによって当該支線ハーネスが前記幹線ハーネスから分岐する方向を当該幹線ハーネスの長手方向に対して交差する方向（例えば略直交する方向）に変換することが可能である。
【００１０】
しかも、このように支線ハーネスの途中部分を曲げて当該支線ハーネスの長手方向を変更することは、当該支線ハーネスに作用する引張荷重などが幹線コネクタと支線コネクタとの結合箇所に直接的に作用するのを抑止し、これにより、当該荷重に起因するコネクタ同士の相対変位を抑止し、当該相対変位に起因する接点部分の摩耗やコネクタ同士の離脱を有効に抑止することができる。
【００１１】
前記方向変換部材は、前記幹線ハーネスの外周面上に固定される被固定部を有し、前記ハーネス支持部は当該被固定部から外向きに突出するものが、好ましい。この方向変換部材によれば、前記被固定部を前記幹線ハーネスの外周面上に固定することにより、当該幹線ハーネス上での前記ハーネス支持部の位置を固定することができる。
【００１２】
この場合、前記方向変換部材は、さらに、前記支線コネクタに連結されることにより当該支線コネクタと前記被固定部との相対位置を固定するコネクタ連結部を含むのがよい。このコネクタ連結部は、前記支線コネクタに連結されることにより、前記幹線ハーネスに固定される前記被固定部と前記支線コネクタとの相対位置を固定し、これにより、前記支線コネクタに結合される前記幹線コネクタが当該支線コネクタ、前記コネクタ連結部及び前記被固定部を介して前記幹線コネクタに固定されることを可能にする。また、このコネクタ連結部は、予め支線コネクタを当該コネクタ連結部を介して前記被固定部に連結しておいてから当該支線コネクタと前記幹線コネクタとの結合及び前記幹線ハーネスへの前記被固定部の固定を行うことが可能であり、このことは組立作業の容易化を可能にする。
【００１３】
前記方向変換部材は、さらに、前記ハーネス支持部を支点に曲げられる前記支線ハーネスを当該支線ハーネスよりも前記幹線ハーネスの径方向の外側の位置で拘束する外側拘束部を含むのが好ましい。この外側拘束部は、前記支線ハーネスが前記幹線ハーネスから離れる向きに前記ハーネス支持部から離脱するのを抑止することができる。
【００１４】
また、前記方向変換部材は、前記ハーネス支持部から離れた位置で前記幹線ハーネスの外周面から外向きに突出する曲げ拘束部を有し、この曲げ拘束部は当該曲げ拘束部と前記ハーネス支持部との間で前記支線ハーネスを拘束することにより当該支線ハーネスの曲げ角度の変動を規制するのが、より好ましい。この曲げ拘束部による拘束は、前記支線ハーネスの曲げ角度を安定させることにより、前記幹線ハーネスから前記支線ハーネスが分岐する方向を安定させることができる。
【発明の効果】
【００１５】
以上のように、本発明によれば、幹線部分と支線部分とが相互に分割されたワイヤハーネスであってその分割部分が大きな荷重から有効に保護されることが可能なものを提供することができる。
【図面の簡単な説明】
【００１６】
【図１】本発明の実施の形態に係るワイヤハーネスの要部を示す斜視図である。
【図２】図１に示されるワイヤハーネスの要部を示す平面図である。
【図３】図２のＩＩＩ−ＩＩＩ線に沿った断面を示す図である。
【図４】図２のＩＶ−ＩＶ線に沿った断面を示す図である。
【図５】図１に示されるワイヤハーネスを構成する方向変換部材の斜視図である。
【図６】前記方向変換部材の正面図である。
【図７】前記方向変換部材の側面図である。
【図８】前記方向変換部材の平面図である。
【発明を実施するための形態】
【００１７】
本発明の好ましい実施の形態を、図面を参照しながら説明する。
【００１８】
図１〜図４は、本発明の実施の形態に係るワイヤハーネスの要部を示す。このワイヤハーネスは、幹線ハーネス１０と、支線ハーネス２０と、幹線コネクタ３０と、支線コネクタ４０と、方向変換部材５０と、を備える。
【００１９】
前記幹線ハーネス１０は、互いに束ねられる複数の電線１２を含む。前記支線ハーネス２０は、互いに束ねられる複数の電線２２を含み、前記幹線ハーネス１０の途中部分から分岐するように当該幹線ハーネス１０に接続されることが可能である。
【００２０】
前記幹線コネクタ３０は、前記幹線ハーネスの途中部分に設けられる。詳しくは、当該幹線コネクタ３０は、前記幹線ハーネス１０に含まれる電線１２のうち前記支線ハーネス２０に分岐接続されるべき電線１２の端末に設けられる。幹線コネクタ３０は、当該分岐接続の対象となる電線１２の端末にそれぞれ装着される複数のコネクタ端子と、これらのコネクタ端子を保持するコネクタハウジングと、を有し、このうち当該コネクタハウジングのみが図１〜図４に示されている。
【００２１】
前記支線コネクタ４０は、前記支線ハーネス２０の一方の端部であって前記幹線ハーネス１０に接続されるべき基端部に設けられ、前記幹線コネクタ３０と結合することにより、前記幹線ハーネス１０に含まれる分岐接続対象電線１２と、前記支線ハーネス２０に含まれる電線２２とを相互に電気的に接続する。この支線コネクタ４０は、前記複数の電線２２の端末にそれぞれ装着される複数のコネクタ端子と、これらのコネクタ端子を保持するコネクタハウジングと、を有し、このうち当該コネクタハウジングのみが図１〜図４に示されている。一方、前記支線ハーネス２０の他方の端部である先端部には、ワイヤハーネスの端末に接続されるべき各種機器が接続される。
【００２２】
この実施の形態に係る前記幹線コネクタ３０は、当該幹線コネクタ３０と前記支線コネクタ４０との結合方向が前記幹線ハーネス１０の長手方向と平行な方向となるように当該幹線ハーネス１０の電線１２に接続されている。具体的には、当該幹線コネクタ３０は、図１に示される姿勢で上側から見て、図２に示すように、当該幹線コネクタ３０が前記幹線ハーネス１０の両縁の内側に収まれるように、当該幹線ハーネス１０の外周面上に配置されている。
【００２３】
前記方向変換部材５０は、前記幹線ハーネス１０から前記支線ハーネス２０が分岐する方向を前記コネクタ３０，４０同士の結合方向（すなわち幹線ハーネス３０の長手方向）から当該結合方向に対して交差する方向、この実施の形態では略直交する方向、に変換する機能を有する。さらに、この実施の形態に係る方向変換部材５０は、前記支線コネクタ４０に連結されるとともに当該方向変換部材５０自身が前記幹線ハーネス１０に固定されることにより、前記支線コネクタ４０さらにはこれに結合される前記幹線コネクタ３０を前記幹線ハーネス１０の外周面上に固定する機能を有する。
【００２４】
当該機能を得るため、この実施の形態に係る前記方向変換部材５０は、図５〜図８に示すように、基部５１と、固定バンド５２と、ハーネス支持部５４と、外側拘束部５５と、曲げ拘束部５６と、コネクタ連結部５７と、を一体に有する。
【００２５】
前記基部５１及び前記固定バンド５２は、前記幹線ハーネス１０に固定される被固定部を構成する。前記固定バンド５２は、前記幹線ハーネス１０の外周面上に巻き付けられることが可能な程度の可撓性を有し、当該固定バンド５２の一端が前記基部５１に一体につながっている。前記基部５１は、前記幹線ハーネス１０の外周面上に巻き付けられた状態の前記固定ハンド５２の他端（自由端）に近い側の部分を保持する機能を有する。具体的に、前記固定バンド５２の外周面は当該固定バンド５２の長手方向に並ぶ複数の被係止部５３を有し、前記基部５１は前記複数の被係止部５３のうちの任意の被係止部５３を係止する機能を有する。従って、前記固定バンド５２が前記幹線ハーネス１０に巻き付けられた状態で、当該幹線ハーネス１０の径に応じた位置の被係止部５３が前記基部５１に係止されることにより、当該固定バンド５２及び当該基部５１が当該幹線ハーネス１０に固定されることができる。
【００２６】
前記ハーネス支持部５４は、前記基部５１が前記幹線ハーネス１０の外周面上に固定された状態で当該外周面から径方向外向きに突出するように、当該基部５１から立ち上がる。このハーネス支持部５４は、前記支線コネクタ４０につながる支線ハーネス２０の途中部分が前記ハーネス支持部５４を支点として曲げられた状態で当該支線ハーネス２０を支持することにより当該支線ハーネス２０の長手方向を変更させる。具体的に、この実施の形態に係るハーネス支持部５４は、前記幹線ハーネス１０の径方向（すなわち当該幹線ハーネス１０の長手方向と直交する方向）と平行な幅方向に延びる壁状をなし、当該幅方向の両端のうち前記幹線ハーネス１０の中心軸に近い側の内側端５４ａに前記支線ハーネス２０のうち前記支線コネクタ４０に近い部分が当てられながら曲げられることにより、当該支線ハーネス１０の長手方向（幹線ハーネス１０から分岐する方向）を前記両コネクタ３０，４０の結合方向つまり幹線ハーネス１０の長手方向からこれと略直交する方向に変更することが可能となっている。
【００２７】
前記外側拘束部５５は、前記ハーネス支持部５４を支点に曲げられる前記支線ハーネス２０を当該支線ハーネス２０よりも前記幹線ハーネス１０の径方向の外側の位置、図１では上側の位置、で拘束することにより、当該支線ハーネス２０が前記幹線ハーネス１０から離れる方向（図１では上向き）に前記ハーネス支持部５４から離脱するのを抑止する。具体的に、この実施の形態に係る前記外側拘束部５５は、前記ハーネス支持部５４の内側端５４ａの上端からさらに当該ハーネス支持部５４の幅方向に沿って突出する棒状をなし、当該外側拘束部５５と前記幹線ハーネス１０の外周面との間に前記支線ハーネス２０を拘束する。
【００２８】
前記曲げ拘束部５６は、前記ハーネス支持部５４から離れた位置で前記幹線ハーネス１０の外周面から外向きに突出するように配置されることにより、当該曲げ拘束部５６と前記ハーネス支持部５４との間で前記支線ハーネスを拘束し、これにより当該支線ハーネス２０の当該ハーネス支持部５４を支点とする曲げ角度の変動を規制する。具体的に、この実施の形態に係る曲げ拘束部５６は、前記ハーネス支持部５４を挟んで前記支線コネクタ４０と反対側の位置であって当該ハーネス支持部５４と前記幹線コネクタ１０の長手方向に並ぶ位置で前記基部５１から外向きに突出し、当該曲げ拘束部５６と当該ハーネス支持部５４との間で前記支線ハーネス２０を前記幹線ハーネス１０の長手方向と平行な方向に挟み込むことにより、前記支線ハーネス２０の曲げ角度を安定させる。つまり、前記幹線ハーネス１０から前記支線ハーネス２０が分岐する方向を安定させる。
【００２９】
前記コネクタ連結部５７は、前記支線コネクタ４０に連結されることによって、当該支線コネクタ４０と前記被固定部である基部５１及び固定バンド５２との相対位置を固定する。
【００３０】
この実施の形態に係るコネクタ連結部５７は、前記ハーネス支持部５４とともに立直した状態で、当該ハーネス支持部５４の幅方向の両端のうち幹線ハーネス１０の中心軸から遠い端である外側端から支線コネクタ４０に向かって前記幹線ハーネス１０の長手方向に沿って延びる壁状をなす。当該コネクタ連結部５７の端部には、前記幹線ハーネスの長手方向と直交する方向（図１では下方向）に開く切欠５８が形成される一方、前記支線コネクタ４０はその側面から側方に突出する連結用突起４８を有している。当該連結用突起４８が当該切欠５８に嵌め込まれることにより、前記支線コネクタ４０に前記コネクタ連結部５７が連結され、これにより、当該支線コネクタ４０と前記ハーネス支持部５４及び前記基部５１との相対位置、特に前記幹線ハーネス１０の長手方向及びコネクタ３０，４０同士の結合方向と平行な方向についての相対位置、が固定される。
【００３１】
このワイヤハーネスは、例えば次の工程を経ることにより、製造されることが可能である。
【００３２】
（１）前記幹線ハーネス１０に含まれる電線１２のうちの適当な電線１２の端末に前記幹線コネクタ３０が接続されて当該幹線ハーネス１０の外周面上に配置されたものと、前記支線ハーネス２０に含まれる電線２２の端末に前記支線コネクタ４０が接続されたものと、が用意される。
【００３３】
（２）前記支線ハーネス２０のうち前記支線コネクタ４０に近い部分が方向変換部材５０のハーネス支持部５４の内側端５４ａに当てられて当該内側端５４ａを支点に曲げられ、かつ外側拘束部５５及び曲げ拘束部５６によって拘束されるように、当該方向変換部材に対して当該支線ハーネス２０が配索される。つまり、前記方向変換部材５０が前記支線ハーネス２０の形状を固定するように、特に支線コネクタ４０に対する前記支線ハーネス２０の相対角度を固定するように、当該方向変換部材５０が当該支線ハーネス２０を拘束する状態が形成される。
【００３４】
（３）前記幹線ハーネス１０上に配置された前記幹線コネクタ３０に対して前記支線コネクタ４０が当該幹線ハーネス１０の長手方向に沿って結合される。幹線コネクタ３０に結合される。これにより、当該幹線ハーネス１０上における両コネクタ３０，４０の位置が概ね決まる。
【００３５】
（４）前記支線コネクタ４０の位置に合わせて、前記幹線ハーネス１０上の前記方向変換部材５０の位置が決められ、この位置で当該方向変換部材５０が当該幹線ハーネス１０に固定される。具体的には、当該方向変換部材５０の固定バンド５２が前記幹線ハーネス１０に巻き付けられ、当該固定バンド５２の複数の被係止部５３のうちの適当な被係止部５３が前記基部５１に係止されることにより、当該基部５１が前記幹線ハーネス１０上に固定される。この固定に伴い、当該幹線ハーネス１０上での前記支線コネクタ４０の位置さらにはコレット結合される幹線コネクタ３０の位置も固定される。
【００３６】
なお、（２）〜（４）の工程は前後してもよい。
【００３７】
以上説明したワイヤハーネスによれば、幹線ハーネス１０と支線ハーネス２０とが分割されているので、例えば幹線ハーネス１０には共通のものを用いながら支線ハーネス２０をこれに接続される機器の種類等に応じて適宜変更することにより、低コストで当該ワイヤハーネスの多様化が可能である。また、全体が一体化されたワイヤハーネスに比べて組立も容易である。
【００３８】
しかも、前記幹線ハーネス１０と前記支線ハーネス２０とを接続するための幹線コネクタ３０及び支線コネクタ４０を幹線ハーネス１０の外周面上に配置して当該コネクタ３０，４０が他の部材と接触するのを抑止しながらも、前記支線コネクタ４０につながる支線ハーネス２０を方向変換部材５０のハーネス支持部５４に当てて当該ハーネス支持部５４を支点に曲げることにより、前記両コネクタ３０，４０の結合方向にかかわらず、支線ハーネス２０の長手方向すなわち幹線ハーネス１０から支線ハーネス２０が分岐する方向を好ましい方向に変換することができる。また、この方向の変換は、支線ハーネス２０に作用する張力が支線コネクタ４０に伝わるのを抑止することを可能にする。このことは、当該張力によるコネクタ３０，４０同士の相対変位に起因する接点部分の摩耗を抑止し、また当該コネクタ３０，４０同士の離脱を防ぐことを可能にする。
【００３９】
本発明は、以上説明した実施の形態に限定されない。本発明は、例えば次のような形態を含む。
（ａ）幹線ハーネスに方向変換部材を固定するための具体的手段は限定されない。例えば、当該方向変換部材は、幹線ハーネスの外周面上に載置可能な板状片を有し、この板状片が粘着テープの巻き付け等によって前記外周面に固定されてもよい。この場合、ハーネス支持部は前記板状片から前記幹線ハーネスの径方向の外向きに突出する形状を有していればよい。あるいは、本発明に係る方向変換部材は、支線コネクタと一体に形成されてもよい。この場合、当該支線コネクタが前記粘着テープの巻き付け等によって幹線ハーネスに固定されることにより、当該幹線ハーネスに前記方向変換部材が固定されることが可能である。
（ｂ）ハーネス支持部の形状は適宜設定が可能である。当該ハーネス支持部は、例えば、これを支点に支線ハーネスが適当な曲率で曲がることを可能にする、当該曲率に対応した直径をもつ円柱であってもよい。
（ｃ）前記コネクタ連結部５７は適宜省略が可能である。この場合、前記幹線コネクタ３０及び支線コネクタ４０の少なくとも一方が粘着テープの巻き付け等によって前記幹線ハーネス１０に固定されることが、好ましい。換言すれば、前記コネクタ連結部５７は、前記粘着テープ等による前記コネクタ３０，４０の固定作業を不要にする効果を生じさせる。また、当該コネクタ連結部５７の存在は、当該支線コネクタ４０と当該コネクタ連結部５７との連結、及び方向変換部材５０への支線ハーネス２０のセッティングを予め行っておいてから、コネクタ３０，４０同士の結合及び幹線ハーネス１０への方向変換部材５０の固定を行うことを可能にし、これにより組立作業の容易化を可能にする利点がある。
あるいは、当該コネクタ連結部は支線コネクタのコネクタハウジングまたは幹線コネクタのコネクタハウジングと一体に形成されてもよい。例えば、当該コネクタハウジングと前記ハーネス支持部を含む方向変換部材とが単一の部材として形成されてもよい。
（ｄ）外側拘束部５５や曲げ拘束部５６の省略も可能である。例えば、支線ハーネス２０が他の固定手段で固定される場合は、ハーネス支持部５４による支持のみでも支線ハーネス２０の姿勢を安定させることが可能である。あるいは、前記のようにハーネス支持部５４が支線ハーネス２０の分岐方向と平行に延びる壁状である場合、このハーネス支持部５４に前記支線ハーネス２０を粘着テープ等で固定することによっても当該支線ハーネス２０の姿勢を安定させることが可能である。
【符号の説明】
【００４０】
１０    幹線ハーネス
１２    幹線ハーネスに含まれる電線
２０    支線ハーネス
２２    支線ハーネスに含まれる電線
３０    幹線コネクタ
４０    支線コネクタ
４８    連結用突起
５０    方向変換部材
５１    基部（被固定部）
５２    固定バンド（被固定部）
５４    ハーネス支持部
５５    外側拘束部
５６    曲げ拘束部
５７    コネクタ連結部
【図１】
2017038417.tif 000003
【図２】
2017038417.tif 000004
【図３】
2017038417.tif 000005
【図４】
2017038417.tif 000006
【図５】
2017038417.tif 000007
【図６】
2017038417.tif 000008
【図７】
2017038417.tif 000009
【図８】
2017038417.tif 000010